(57)【要約】【課題】使用者の好みを反映させつつ、選択をスピーディーに行うことのできる選択肢選択装置を提供する。【解決手段】機器１は表示部３を備え、表示部３に表示された選択肢を選択部１２で選択することにより、機器１のモード又は該モードで取り扱われるコンテンツを選択できる。表示部３は、選択肢の全面的表示、及び過去の選択頻度に基づき絞り込んだ選択肢表示が可能となっている。過去の選択頻度に基づき絞り込んだ選択肢表示を行う際は、選択頻度の高い順に表示される。選択は、表示部３に表示されるカーソルによって行う。選択肢はスクロール表示される。【選択図】図２
2007149140.tif 000002
【特許請求の範囲】
【請求項１】
表示部に表示された選択肢を選択部で選択することにより、機器のモード又は該モードで取り扱われるコンテンツを選択できるようにした選択肢選択装置において、
前記表示部は、選択肢の全面的表示、及び過去の選択頻度に基づき絞り込んだ選択肢表示が可能であることを特徴とする選択肢選択装置。
【請求項２】
過去の選択頻度に基づき絞り込んだ選択肢表示を行う際、選択頻度の高い順に表示されることを特徴とする請求項１に記載の選択肢選択装置。
【請求項３】
前記選択部は、前記表示部に表示されるカーソルによって選択を行うことを特徴とする請求項１又は２に記載の選択肢選択装置。
【請求項４】
前記表示部は、選択肢をスクロール表示することが可能であることを特徴とする請求項１〜３のいずれか１項に記載の選択肢選択装置。
【請求項５】
前記コンテンツが楽曲であることを特徴とする請求項１〜４のいずれか１項に記載の選択肢選択装置。
【発明の詳細な説明】
【技術分野】
【０００１】
本発明は、ＡＶ（audio-visual）機器、デジタルカメラ、カーナビゲーション装置など情報コンテンツを扱う機器であって、機器自体にも複数のモードが用意されているものにおける選択肢選択装置に関する。
【背景技術】
【０００２】
上に掲げた機器には液晶表示パネルなどからなる表示部が設けられており、そこに表示される選択肢をジョグキーやジョグダイヤルなどの選択部で選択する。何段階もの階層にわたり設けられた選択肢を次々と選択して行くことにより、目標に到達できる。このような機器の例を特許文献１に見ることができる。
【特許文献１】特開２００３−１２３４４８号公報（第３−５頁、図１−７）
【発明の開示】
【発明が解決しようとする課題】
【０００３】
機器の表示部に表示される選択肢は、メーカーサイドで決めた既定順序（default）で配列されているのが普通である。目指す選択肢に素早く到達しようとするとき、このような設定が便利でないことはしばしばある。使用者の手で既定順序を変えられるようにしたものもあるが、時と共に使用者の好みが変化するとその都度設定を修正する必要があり、面倒であった。
【０００４】
本発明は上記の点に鑑みなされたものであり、使用者の好みを反映させつつ、選択をスピーディーに行うことのできる選択肢選択装置を提供することを目的とする。
【課題を解決するための手段】
【０００５】
（１）上記目的を達成するために本発明は、表示部に表示された選択肢を選択部で選択することにより、機器のモード又は該モードで取り扱われるコンテンツを選択できるようにした選択肢選択装置において、前記表示部は、選択肢の全面的表示、及び過去の選択頻度に基づき絞り込んだ選択肢表示が可能であることを特徴としている。
【０００６】
この構成によると、過去の選択頻度に基づき絞り込んだ選択肢表示を行うことにより、選択されそうにない選択肢は排除し、選択されそうな選択肢を優先表示して、目指す選択肢への到達を早めることができる。
【０００７】
（２）また本発明は、上記構成の選択肢選択装置において、過去の選択頻度に基づき絞り込んだ選択肢表示を行う際、選択頻度の高い順に表示されることを特徴としている。
【０００８】
この構成によると、使用者は自分の最も気に入っている選択肢から順に見て選択することができ、判断に迷うことが少なくなる。
【０００９】
（３）また本発明は、上記構成の選択肢選択装置において、前記選択部は、前記表示部に表示されるカーソルによって選択を行うことを特徴としている。
【００１０】
この構成によると、選択動作が静粛になり、選択の間違いも少なくなる。
【００１１】
（４）また本発明は、上記構成の選択肢選択装置において、前記表示部は、選択肢をスクロール表示することが可能であることを特徴としている。
【００１２】
この構成によると、表示部で一時に表示できる数以上の選択肢の表示が可能となる。
【００１３】
（５）また本発明は、上記構成の選択肢選択装置において、前記コンテンツが楽曲であることを特徴としている。
【００１４】
この構成によると、好みの楽曲を素早く選曲して聞くことができる。
【発明の効果】
【００１５】
本発明によると、実際に良く用いるモード、実際に良く選択するコンテンツに速やかに到達でき、目指すものになかなか到達できないイライラ感を軽減できる。
【発明を実施するための最良の形態】
【００１６】
図１−６に本発明の一実施形態を示す。図１は機器の外観概略図、図２は機器のブロック構成図、図３は選択頻度データ取得のフローチャート、図４−６は選択頻度決定方式の説明図である。
【００１７】
機器１として想定されているのはデジタル携帯音楽プレーヤである。機器１は略直方体形状のケーシング２の正面に表示部３と操作パネル４を備える。表示部３は液晶表示パネルなどの平面表示手段により構成される。操作パネル４にはジョグキーやジョグダイヤルなどの選択部や電源キーなどその他の操作キーが配置される。ケーシング２の側面には電源入力ジャックや信号入出力用のケーブルコネクタなどを備えた端子部５が設けられている。
【００１８】
機器１のブロック構成は図２に示す通りである。１０はマイクロコンピュータを中核とする制御部であり、電源回路もこの中に含まれる。制御部１０には次の構成要素が接続される。すなわち表示及び表示制御装置１１、選択部１２、その他キー１３、内部信号生成部１４、信号制御部１５、及びメモリ１６である。信号制御部１５には増幅部１７及び外部入力部１８が接続される。
【００１９】
表示及び表示制御部１１は、表示手段である表示部３と、表示部３上の表示を制御する制御回路を含む。選択部１２は前述の通りジョグキーやジョグダイヤルなどからなり、操作パネル４に配置される。その他キー１３も操作パネル４に配置されるものであり、選択部１２の担当範囲以外の信号入力や電源ＯＮ−ＯＦＦなどを受け持つ。内部信号生成部１４は機器１の内部で信号を生成し、またデジタル携帯音楽プレーヤとしての各モード（「楽曲再生」など）を制御する。信号制御部１５は信号を受けてファンクションの切り替えや各種モード設定を行う。メモリ１６は制御部１０が必要とするデータを記憶する。増幅部１７は音声信号を増幅する。外部入力部１８は外部からの信号やデータの入力ポートとなる。増幅部１７にはスピーカ１９が接続される。スピーカ１９は機器１に内蔵されたスピーカであってもよく、イヤホンやヘッドホンなどの外部スピーカであってもよい。
【００２０】
電源をＯＮにすると表示部３が表示を開始する。表示画面には機器１のファンクション切り替え（プレーヤ、チューナ、外部機器入力など）、再生モード切り替え（リピート、ランダムなど）、サウンドモード切り替え、ラジオやテレビのファンクションにおける音声切り替え（音声多重／ステレオ／モノラル）といった選択肢や、コンテンツである楽曲のジャンル、アルバム、トラック、曲名など各種の選択肢が既定順序で、あるいは使用者の設定に応じた順序で、表示される。
【００２１】
表示画面にはいずれか１個の選択肢を白黒反転表示あるいはハイライト表示する「カーソル」が存在する。このカーソルを選択部１２で動かして所望の選択肢を選び、「決定」操作を行って選択を決定する。選択肢の階層を順次たどって最終目標である選択肢を目指す。カーソルで選択を行うことにより、選択動作が静粛になり、選択の間違いも少なくなる。
【００２２】
選択肢が表示部３の画面に収まりきらない場合、表示はスクロール表示となる。スクロール表示では、カーソルを上下左右いずれかの方向に動かし続けると選択肢が次々と表示部３に表れる。これにより、表示部３で一時に表示できる数以上の選択肢の表示が可能となる。
【００２３】
全ての選択肢が表示部３上に表示可能であり、それが機器１のデフォルト設定となっているが、全選択肢を全面的に表示することとすると最終目標にたどり着くのに時間がかかってしまう。そこで本発明では、選択頻度によって絞り込んだ選択肢のみの表示も実行できるようにする。選択頻度によって絞り込む手法を図３−６に基づき説明する。
【００２４】
図３にはモード選択の例が示されている。ステップＳ１０１で電源ＯＮにすると、ステップＳ１０２で表示部３にモードの初期表示が現れる。初期表示は前回の使用内容に基づき設定されている。ステップＳ１０３では選択装置１２によって所望のモードを選択する。ステップＳ１０４ではモード選択後の経過時間を計測する。これは、モード選択後の経過時間が短い場合にはその選択は実際には使用されなかったものとみなし、選択頻度判定データの母集団から排除するために行う。実際には使用されなかったとみなされた選択はメモリ１６に記憶させない。
【００２５】
ステップＳ１０５では選択肢選択以後の経過時間が規定時間を超えたかどうかをチェックする。超えればステップＳ１０６に進み、メモリ１６に記憶されている選択頻度データを修正し、ステップＳ１０７に進む。経過時間が規定時間を超えていなければステップＳ１０６を経由することなくステップＳ１０７に進む。
【００２６】
ステップＳ１０７ではその時点での選択頻度によって表示部３に表示する選択肢の絞り込み内容（絞り込み表示が既に実行されているものとする）を変更するかどうかが検討され、変更する場合はそのようにした上でステップＳ１０３に戻る。変更しない場合はステップＳ１０８に進んで電源ＯＦＦとし、操作を終了する。電源ＯＦＦ時には今回の使用により決定された選択頻度と次回使用時の初期表示をメモリ１６に記憶させる。
【００２７】
ステップＳ１０５で選択後の経過時間が規定時間を超えた、すなわちその選択が使用者に受け入れられたとみなされたデータは選択頻度修正のため次のように用いられる。すなわち図４において、モードＡは直近１０回の選択中「１」「２」「４」「５」「７」「８」「１０」と計７回の選択実績があり、モードＢは「３」「９」と２回の選択実績があり、モードＣは「６」と１回の選択実績がある。モードＤは選択実績ゼロである。なお直近１０回の選択を判定ベースにするというのは単なる例示に過ぎず、この数値は限定的な意味を持たない。
【００２８】
ここで図５のようにモードＢに新たに１回分の選択実績が加わると、データ中最も古いモードＡの「１」が消える。残ったデータ「２」〜「１０」は１ずつ番号が繰り下がり、図６の「１’」〜「９’」となる。モードＢに加わった最新の選択実績は「１０’」となる。これがステップＳ１０６の選択頻度修正の内容である。
【００２９】
ここで選択頻度を眺めると、モードＡは最も選択頻度が高く、モードＢがそれに次ぎ、モードＣがさらにそれに次ぐ。モードＤは選択頻度ゼロである。ここから、モードＤは選択肢の表示から省いて良いという結論が導き出される。このような判定作業がステップＳ１０７で遂行される。
【００３０】
ステップＳ１０７での判定に従い、それ以後はモードＡ、モードＢ、モードＣのみがモードの選択肢として表示される。これにより使用者は自分が選択しそうな選択肢のみを眺めて選択を行うこととなり、目指すモードに速やかに到達することができる。選択肢が少なくなるので、スクロール表示を行うとしてもその時間が短縮される。
【００３１】
絞り込み表示は選択肢の各階層について行う。コンテンツも同様に絞り込み表示する。
【００３２】
絞り込み表示を行う際、選択頻度の高い順に表示する。上記の例で言えば、モードＡを最初に置き、モードＢをその次に置き、モードＣをその次に置くことになる。このようにすれば、使用者は自分の最も気に入っているもの（モードＡ）から順に見て選択することができ、判断に迷うことが少なくなる。
【００３３】
このように決定された絞り込み表示は、次回の電源ＯＮ時、ステップＳ１０２における初期表示となる。
【００３４】
マイクロコンピュータで制御を行う機器の中には、電力供給が断たれてバックアップ機能が働かなくなった場合、リセットにより完全初期設定起動となるものがあるが、それを防ぐため、バックアップメモリとは異なるメモリに選択頻度と次回使用時の初期表示を記憶させておき、リセットによる起動時にも過去の選択頻度に基づき絞り込んだ選択肢表示がなされるようにしておくとよい。
【００３５】
使用者によっては、また使用場面によっては、絞り込み表示が不要なケースがある。そのような場合に備え、選択部１２を操作して機器１のデフォルト設定である選択肢の全面的表示に切り換えることができるようにしておく。あるいは表示部を２個設け、一方の表示部では選択肢の全面的表示を行い、他方の表示部では選択肢の絞り込み表示を行うようにしてもよい。
【００３６】
以上本発明の実施形態につき説明したが、発明の主旨を逸脱しない範囲でさらに種々の変更を加えて実施することができる。
【産業上の利用可能性】
【００３７】
本発明は、情報コンテンツを扱う機器であって、表示部と選択部を備えたもの全般に利用可能である。
【図面の簡単な説明】
【００３８】
【図１】機器の外観概略図
【図２】機器のブロック構成図
【図３】選択頻度データ取得のフローチャート
【図４】選択頻度決定方式の第１の説明図
【図５】選択頻度決定方式の第２の説明図
【図６】選択頻度決定方式の第３の説明図
【符号の説明】
【００３９】
１    機器
２    ケーシング
３    表示部
４    操作パネル
１０  制御装置
１１  表示及び表示制御部
１２  選択部
【図１】
2007149140.tif 000003
【図２】
2007149140.tif 000004
【図３】
2007149140.tif 000005
【図４】
2007149140.tif 000006
【図５】
2007149140.tif 000007
【図６】
2007149140.tif 000008